(57)【要約】【課題】ＩＭＳで提供されるプリペイドサービスにおいて、利用者が利用可能時間の満了が近いことを認識する。【解決手段】ＡＳ−Ｂ８１０が、ＵＥ１００が音声発信した通話が開始された時刻から通話時間を計測し、ＵＥ１００が通話可能な時間から通話時間を差し引いた時間があらかじめ設定された時間となった際、ＦＡＰ２００へ多重指示を行い、ＦＡＰ２００が、多重指示を受けると、あらかじめ記憶している音源ファイルに基づいた音を、ＵＥ１００へ送信する音声データに多重してＵＥ１００へ送信する。【選択図】図１
2014207596.tif 000002
【特許請求の範囲】
【請求項１】
ＩＭＳ（ＩＰ  Ｍｕｌｔｉｍｅｄｉａ  Ｓｕｂｓｙｓｔｅｍ）網における、アプリケーション提供手段と、ＳＩＰサーバと、フェムトセル用基地局と、プリペイドユーザが所持する通信端末とを有する通信システムにおいて、
前記アプリケーション提供手段は、前記通信端末が音声発信した通話が開始された時刻から通話時間を計測し、該通信端末が通話可能な時間から該通話時間を差し引いた時間があらかじめ設定された時間となった際、前記フェムトセル用基地局へ多重指示を行い、
前記フェムトセル用基地局は、前記多重指示を受けると、あらかじめ記憶している音源ファイルに基づいた音を、前記通信端末へ送信する音声データに多重して該通信端末へ送信する通信システム。
【請求項２】
請求項１に記載の通信システムにおいて、
前記アプリケーション提供手段は、前記通信端末の通話が開始された際、サービスの提供を制御するノードから、該通信端末が通話可能な時間を取得することを特徴とする通信システム。
【請求項３】
請求項１または請求項２に記載の通信システムにおいて、
前記アプリケーション提供手段は、前記ＳＩＰサーバを介して前記フェムトセル用基地局へ多重指示を行うことを特徴とする通信システム。
【請求項４】
請求項１または請求項２に記載の通信システムにおいて、
前記アプリケーション提供手段は、前記ＳＩＰサーバに含まれることを特徴とする通信システム。
【請求項５】
ＩＭＳ網における、アプリケーション提供手段と、フェムトセル用基地局と、プリペイドユーザが所持する通信端末とを有する通信システムにおいて、
前記通信端末が音声発信した通話の音声データを処理するゲートウェイと、前記フェムトセル用基地局との間に設けられた多重処理サーバを有し、
前記アプリケーション提供手段は、前記通信端末が音声発信した通話が開始された時刻から通話時間を計測し、該通信端末が通話可能な時間から該通話時間を差し引いた時間があらかじめ設定された時間となった際、前記多重処理サーバへ多重指示を行い、
前記多重処理サーバは、前記多重指示を受けると、あらかじめ記憶している音源ファイルに基づいた音を、前記通信端末へ送信する音声データに多重して前記フェムトセル用基地局へ送信し、
前記フェムトセル用基地局は、前記多重処理サーバから送信されてきた、前記音が多重された音声データを前記通信端末へ送信する通信システム。
【請求項６】
請求項５に記載の通信システムにおいて、
前記アプリケーション提供手段は、前記通信端末の通話が開始された際、サービスの提供を制御するノードから、該通信端末が通話可能な時間を取得することを特徴とする通信システム。
【請求項７】
ＩＭＳ網におけるプリペイドユーザが所持する通信端末が音声発信した通話が開始された時刻から通話時間を計測する時間計測部と、
前記通信端末が通話可能な時間から、前記時間計測部が計測した通話時間を差し引いた時間があらかじめ設定された時間となった際、前記通信端末へ音声データを送信するフェムトセル用基地局へ多重指示を行う指示部とを有するアプリケーション提供サーバ。
【請求項８】
請求項７に記載のアプリケーション提供サーバを具備するＳＩＰサーバ。
【請求項９】
ＩＭＳ網におけるサービスを提供するアプリケーション提供手段から多重指示を受けると、あらかじめ記憶している音源ファイルに基づいた音を、プリペイドユーザが音声発信に用いた通信端末へ送信する音声データに多重する多重部と、
前記多重部が前記音を多重した音声データを、前記通信端末へ送信する送信部とを有するフェムトセル用基地局。
【請求項１０】
ＩＭＳ網におけるサービスを提供するアプリケーション提供手段から多重指示を受けると、あらかじめ記憶している音源ファイルに基づいた音を、プリペイドユーザが音声発信に用いた通信端末へ送信する音声データに多重する多重部と、
前記多重部が前記音を多重した音声データを、前記通信端末へ音声データを送信するフェムトセル用基地局へ送信する送信部とを有する多重処理サーバ。
【請求項１１】
ＩＭＳ網における、アプリケーション提供手段と、フェムトセル用基地局と、プリペイドユーザが所持する通信端末とを有する通信システムにおける通知方法であって、
前記アプリケーション提供手段が、前記通信端末が音声発信した通話が開始された時刻から通話時間を計測する処理と、
前記アプリケーション提供手段が、前記通信端末が通話可能な時間から該通話時間を差し引いた時間があらかじめ設定された時間となった際、前記フェムトセル用基地局へ多重指示を行う処理と、
前記フェムトセル用基地局が、前記多重指示を受けると、あらかじめ記憶している音源ファイルに基づいた音を、前記通信端末へ送信する音声データに多重する処理と、
前記フェムトセル用基地局が、前記音が多重された音声データを前記通信端末へ送信する処理とを行う通知方法。
【発明の詳細な説明】
【技術分野】
【０００１】
本発明は、通話中に所定の通知を行う通信システム、アプリケーション提供サーバ、ＳＩＰサーバ、フェムトセル用基地局、多重処理サーバおよび通知方法に関する。
【背景技術】
【０００２】
通信端末の利用契約として、あらかじめ決められた料金を支払い、支払った料金に応じた利用が可能となるプリペイド式の契約が存在する。このようなプリペイド式の契約をした場合、通信端末の利用可能時間が有限となる。そこで、その利用可能時間の満了が近くなった際に、その旨を知らせる通知があると、利用者も利用可能時間の満了が近くなったことを認識することができる。
【０００３】
３Ｇ（３ｒｄ  Ｇｅｎｅｒａｔｉｏｎ）サービスにおいては、利用可能時間が満了する直前に所定の警告音を、プリペイドユーザが利用している通信端末へ送信する仕組みが標準化されている（非特許文献１参照。）。
【０００４】
一方、ＩＭＳ（ＩＰ  Ｍｕｌｔｉｍｅｄｉａ  Ｓｕｂｓｙｓｔｅｍ）におけるＣＡＭＥＬ（Ｃｕｓｔｏｍｉｚｅｄ  Ａｐｐｌｉｃａｔｉｏｎｓ  ｆｏｒ  Ｍｏｂｉｌｅ  ｎｅｔｗｏｒｋ  Ｅｎｈａｎｃｅｄ Ｌｏｇｉｃ）プリペイドサービスを実現するためのアーキテクチャは、３ＧＰＰ（３ｒｄ  Ｇｅｎｅｒａｔｉｏｎ  Ｐａｒｔｎｅｒｓｈｉｐ  Ｐｒｏｊｅｃｔ）のスペックで定義されている（非特許文献２参照。）。
【先行技術文献】
【非特許文献】
【０００５】
【非特許文献１】３ＧＰＰ  ＴＳ２３．０７８  Ｖ１１．３．０
【非特許文献２】３ＧＰＰ  ＴＳ２３．００２  Ｖ１２．１．０
【発明の概要】
【発明が解決しようとする課題】
【０００６】
ＩＭＳで提供されるプリペイドサービスにおいては、３Ｇサービスにおける非特許文献１に記載されたような規定がない。そのため、ＩＭＳで提供されるプリペイドサービスにおいて、利用者が利用可能時間の満了が近いことを認識することができないという問題点がある。
【０００７】
本発明の目的は、上述した課題を解決する通信システム、アプリケーション提供サーバ、ＳＩＰサーバ、フェムトセル用基地局、多重処理サーバおよび通知方法を提供することである。
【課題を解決するための手段】
【０００８】
本発明の通信システムは、
ＩＭＳ（ＩＰ  Ｍｕｌｔｉｍｅｄｉａ  Ｓｕｂｓｙｓｔｅｍ）網における、アプリケーション提供手段と、ＳＩＰサーバと、フェムトセル用基地局と、プリペイドユーザが所持する通信端末とを有する通信システムであって、
前記アプリケーション提供手段は、前記通信端末が音声発信した通話が開始された時刻から通話時間を計測し、該通信端末が通話可能な時間から該通話時間を差し引いた時間があらかじめ設定された時間となった際、前記フェムトセル用基地局へ多重指示を行い、
前記フェムトセル用基地局は、前記多重指示を受けると、あらかじめ記憶している音源ファイルに基づいた音を、前記通信端末へ送信する音声データに多重して該通信端末へ送信する。
【０００９】
また、ＩＭＳ網における、アプリケーション提供手段と、フェムトセル用基地局と、プリペイドユーザが所持する通信端末とを有する通信システムであって、
前記通信端末が音声発信した通話の音声データを処理するゲートウェイと、前記フェムトセル用基地局との間に設けられた多重処理サーバを有し、
前記アプリケーション提供手段は、前記通信端末が音声発信した通話が開始された時刻から通話時間を計測し、該通信端末が通話可能な時間から該通話時間を差し引いた時間があらかじめ設定された時間となった際、前記多重処理サーバへ多重指示を行い、
前記多重処理サーバは、前記多重指示を受けると、あらかじめ記憶している音源ファイルに基づいた音を、前記通信端末へ送信する音声データに多重して前記フェムトセル用基地局へ送信し、
前記フェムトセル用基地局は、前記多重処理サーバから送信されてきた、前記音が多重された音声データを前記通信端末へ送信する。
【００１０】
また、本発明のアプリケーション提供サーバは、
ＩＭＳ網におけるプリペイドユーザが所持する通信端末が音声発信した通話が開始された時刻から通話時間を計測する時間計測部と、
前記通信端末が通話可能な時間から、前記時間計測部が計測した通話時間を差し引いた時間があらかじめ設定された時間となった際、前記通信端末へ音声データを送信するフェムトセル用基地局へ多重指示を行う指示部とを有する。
【００１１】
また、本発明のＳＩＰサーバは、
ＩＭＳ網におけるプリペイドユーザが所持する通信端末が音声発信した通話が開始された時刻から通話時間を計測する時間計測部と、
前記通信端末が通話可能な時間から、前記時間計測部が計測した通話時間を差し引いた時間があらかじめ設定された時間となった際、前記通信端末へ音声データを送信するフェムトセル用基地局へ多重指示を行う指示部とを有する。
【００１２】
また、本発明のフェムトセル用基地局は、
ＩＭＳ網におけるサービスを提供するアプリケーション提供手段から多重指示を受けると、あらかじめ記憶している音源ファイルに基づいた音を、プリペイドユーザが音声発信に用いた通信端末へ送信する音声データに多重する多重部と、
前記多重部が前記音を多重した音声データを、前記通信端末へ送信する送信部とを有する。
【００１３】
また、本発明の多重処理サーバは、
ＩＭＳ網におけるサービスを提供するアプリケーション提供手段から多重指示を受けると、あらかじめ記憶している音源ファイルに基づいた音を、プリペイドユーザが音声発信に用いた通信端末へ送信する音声データに多重する多重部と、
前記多重部が前記音を多重した音声データを、前記通信端末へ音声データを送信するフェムトセル用基地局へ送信する送信部とを有する。
【００１４】
また、本発明の通知方法は、
ＩＭＳ網における、アプリケーション提供手段と、フェムトセル用基地局と、プリペイドユーザが所持する通信端末とを有する通信システムにおける通知方法であって、
前記アプリケーション提供手段が、前記通信端末が音声発信した通話が開始された時刻から通話時間を計測する処理と、
前記アプリケーション提供手段が、前記通信端末が通話可能な時間から該通話時間を差し引いた時間があらかじめ設定された時間となった際、前記フェムトセル用基地局へ多重指示を行う処理と、
前記フェムトセル用基地局が、前記多重指示を受けると、あらかじめ記憶している音源ファイルに基づいた音を、前記通信端末へ送信する音声データに多重する処理と、
前記フェムトセル用基地局が、前記音が多重された音声データを前記通信端末へ送信する処理とを行う。
【発明の効果】
【００１５】
以上説明したように、本発明においては、ＩＭＳで提供されるプリペイドサービスにおいて、利用者が利用可能時間の満了が近いことを認識することができる。
【図面の簡単な説明】
【００１６】
【図１】本発明の通信システムの第１の実施の形態を示す図である。
【図２】図１に示したＡＳ−Ｂの内部構成の一例を示す図である。
【図３】図１に示したＦＡＰの内部構成の一例を示す図である。
【図４Ａ】図１に示した通信システムにおける通知方法を説明するためのシーケンス図である。
【図４Ｂ】図１に示した通信システムにおける通知方法を説明するためのシーケンス図である。
【図４Ｃ】図１に示した通信システムにおける通知方法を説明するためのシーケンス図である。
【図５Ａ】図１に示したＵＥが通話中である場合の、ＳＩＰメッセージおよび音声データの流れの一例を示す図である。
【図５Ｂ】警告音の挿入指示があったときのメッセージの流れの一例を示す図である。
【図５Ｃ】警告音の挿入の指示があった後、音声データに警告音が挿入（多重）される様子の一例を示す図である。
【図６】本発明の通信システムの第２の実施の形態を示す図である。
【図７】図６に示したＳ−ＣＳＣＦの内部構成の一例を示す図である。
【図８Ａ】図６に示した通信システムにおける通知方法を説明するためのシーケンス図である。
【図８Ｂ】図６に示した通信システムにおける通知方法を説明するためのシーケンス図である。
【図８Ｃ】図６に示した通信システムにおける通知方法を説明するためのシーケンス図である。
【図９】本発明の通信システムの第３の実施の形態を示す図である。
【図１０】図９に示した多重処理サーバの内部構成の一例を示す図である。
【図１１Ａ】図９に示した通信システムにおける通知方法を説明するためのシーケンス図である。
【図１１Ｂ】図９に示した通信システムにおける通知方法を説明するためのシーケンス図である。
【図１１Ｃ】図９に示した通信システムにおける通知方法を説明するためのシーケンス図である。
【発明を実施するための形態】
【００１７】
以下に、本発明の実施の形態について図面を参照して説明する。
（第１の実施の形態）
図１は、本発明の通信システムの第１の実施の形態を示す図である。
【００１８】
本形態における通信システムには図１に示すように、ＵＥ（Ｕｓｅｒ  Ｅｑｕｉｐｍｅｎｔ）１００と、３Ｇフェムトエリアを通信エリアとする無線基地局であるＦＡＰ（Ｆｅｍｔｏ  Ａｃｃｅｓｓ  Ｐｏｉｎｔ）２００と、Ｐ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）３００と、Ｓ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）４００と、ＭＧＣＦ（Ｍｅｄｉａ  Ｇａｔｅｗａｙ  Ｃｏｎｔｒｏｌ  Ｆｕｎｃｔｉｏｎ）５００と、ＭＧＷ（Ｍｅｄｉａ  Ｇａｔｅｗａｙ）６００と、ＨＳＳ（Ｈｏｍｅ  Ｓｕｂｓｃｒｉｂｅｒ  Ｓｅｒｖｅｒ）７００と、ＡＳ（Ａｐｐｌｉｃａｔｉｏｎ  Ｓｅｒｖｅｒ）−Ａ８００と、ＡＳ−Ｂ８１０と、ＳＣＰ（Ｓｅｒｖｉｃｅ  Ｃｏｎｔｒｏｌ  Ｐｏｉｎｔ）９００とが設けられている。なお、図１に示した通信システムは、ＩＭＳ網に含まれている。
【００１９】
ＵＥ１００は、３Ｇ機能を具備する通信端末である。また、ＵＥ１００は、プリペイドユーザが所持する通信端末である。
【００２０】
ＦＡＰ２００は、半径数十メートルの３Ｇフェムトエリアを通信エリアとする小型の無線基地局（フェムトセル用基地局）である。また、ＦＡＰ２００は、音源ファイルをあらかじめ記憶している。また、ＦＡＰ２００は、多重指示を受けると、記憶している音源ファイルに基づいた音を、ＭＧＷ６００から送信されてきたＵＥ１００宛てに送信する音声データ（Ｕ−Ｐｌａｎｅデータ）に多重し、警告音を多重した音声データをＵＥ１００へ送信する。この多重指示の詳細については、後述する。
【００２１】
Ｐ−ＣＳＣＦ３００、Ｓ−ＣＳＣＦ４００は、ＳＩＰ（Ｓｅｓｓｉｏｎ  Ｉｎｉｔｉａｔｉｏｎ  Ｐｒｏｔｏｃｏｌ）登録サーバとして、ＨＳＳ７００からダウンロードした加入者情報や利用者の現在位置情報を保持し、ＳＩＰのプロトコルを制御するＳＩＰサーバである。
【００２２】
ＭＧＣＦ５００は、Ｓ−ＣＳＣＦ４００との間の通信プロトコルであるＳＩＰのメッセージと、ＩＳＵＰ（Ｉｎｔｅｇｒａｔｅｄ  Ｓｅｒｖｉｃｅｓ  Ｄｉｇｉｔａｌ  Ｎｅｔｗｏｒｋ  Ｕｓｅｒ  Ｐａｒｔ）のメッセージとの変換を行うゲートウェイ装置である。
【００２３】
ＭＧＷ６００は、回線交換網のＵ−ｐｌａｎｅ、すなわちユーザデータである通話の音声データを処理するゲートウェイである。また、ＭＧＷ６００は、ＲＴＰ（Ｒｅａｌ−ｔｉｍｅ  Ｔｒａｎｓｐｏｒｔ  Ｐｒｏｔｏｃｏｌ）とＳＴＭ（Ｓｙｎｃｈｒｏｎｏｕｓ  Ｔｒａｎｓｆｅｒ  Ｍｏｄｅ）との間の変換を行う。
【００２４】
ＨＳＳ７００は、ＵＥ１００の加入者情報を格納・管理する装置である。
【００２５】
ＡＳ−Ａ８００は、ＴＡＳ（Ｔｅｌｅｐｈｏｎｙ  ＡＳ）機能を実現するサーバである。
【００２６】
ＡＳ−Ｂ８１０は、ＩＭ−ＳＳＦ（ＩＰ−Ｍｕｌｔｉｍｅｄｉａ  Ｓｅｒｖｉｃｅ  Ｓｗｉｔｃｈｉｎｇ  Ｆｕｎｃｔｉｏｎ）機能を実現するアプリケーション提供サーバ（アプリケーション提供手段）である。また、ＡＳ−Ｂ８１０は、ＵＥ１００が音声発信した通話が開始された時刻から通話時間を計測する。また、ＡＳ−Ｂ８１０は、ＵＥ１００の通話が開始された際、ＳＣＰ９００から、ＵＥ１００が通話可能な時間を取得する。また、ＡＳ−Ｂ８１０は、ＳＣＰ９００から取得した、ＵＥ１００が通話可能な時間から、計測した通話時間を差し引いた時間があらかじめ設定された時間となった際、Ｓ−ＣＳＣＦ４００およびＰ−ＣＳＣＦ３００を介して、ＦＡＰ２００に対して多重指示を行う。
【００２７】
ＳＣＰ９００は、インテリジェントネットワーク概念モデルにおいて、サービス制御機能を実現する（サービスの提供を制御する）ノードまたは装置をモデル化した物理エンティティである。また、ＳＣＰ９００は、プリペイドユーザ（ＵＥ１００）が通話可能な時間（残高）を示す情報を保持している。また、ＳＣＰ９００は、着ユーザ応答報告が行われると、応答を行った基に対して、ＵＥ１００の通話可能な時間を指示する。
【００２８】
図２は、図１に示したＡＳ−Ｂ８１０の内部構成の一例を示す図である。
【００２９】
図１に示したＡＳ−Ｂ８１０には図２に示すように、時間計測部８１１と、指示部８１２とが設けられている。なお、図２には、図１に示したＡＳ−Ｂ８１０の構成要素のうち、本実施の形態に関わる主要な構成要素の一例を示す。
【００３０】
時間計測部８１１は、ＵＥ１００が音声発信した通話が開始された時刻から通話時間を計測する。また、時間計測部８１１は、ＵＥ１００の通話が開始された際、ＳＣＰ９００から、ＵＥ１００が通話可能な時間を取得する。
【００３１】
指示部８１２は、時間計測部８１１がＳＣＰ９００から取得した、ＵＥ１００が通話可能な時間から、時間計測部８１１が計測した通話時間を差し引いた時間があらかじめ設定された時間となった際、Ｓ−ＣＳＣＦ４００およびＰ−ＣＳＣＦ３００を介して、ＦＡＰ２００に対して多重指示を行う。つまり、指示部８１２は、ＵＥ１００が通話可能な時間が満了する時刻から所定の時間前に多重指示を行う。このあらかじめ設定された時間は、外部から設定可能な時間であり、通話可能な時間（残高）が間もなく切れることを通知するために設定された時間である。
【００３２】
図３は、図１に示したＦＡＰ２００の内部構成の一例を示す図である。
【００３３】
図１に示したＦＡＰ２００には図３に示すように、多重部２０１と、送信部２０２とが設けられている。なお、図３には、図１に示したＦＡＰ２００の構成要素のうち、本実施の形態に関わる主要な構成要素の一例を示す。
【００３４】
多重部２０１は、ＡＳ−Ｂ８１０からＳ−ＣＳＣＦ４００およびＰ−ＣＳＣＦ３００を介して多重指示を受けると、あらかじめ記憶している音源ファイルに基づいた音を、ＭＧＷ６００から送信されてきたＵＥ１００宛てに送信する音声データに多重する。
【００３５】
送信部２０２は、多重部２０１が音を多重した音声データをＵＥ１００へ送信する。
【００３６】
以下に、図１に示した通信システムにおける通知方法について説明する。なお、情報の送受信で用いられる各信号は、それぞれのプロトコルに準じたものである。
【００３７】
図４Ａ〜４Ｃは、図１に示した通信システムにおける通知方法を説明するためのシーケンス図である。
【００３８】
まず、ＵＥ１００が、ＦＡＰ２００へ、位置登録要求を行う（ステップＳ１）と、ＦＡＰ２００は、Ｐ−ＣＳＣＦ３００へＳＩＰ−ＲＥＧＩＳＴＥＲを送信することで、ＵＥ１００の位置登録要求を行う（ステップＳ２）。すると、Ｐ−ＣＳＣＦ３００は、ＨＳＳ７００へＤｉａ−Ｃｘ−ＵＡＲを送信することで、ＵＥ１００の位置登録要求を行う（ステップＳ３）。Ｄｉａ−Ｃｘ−ＵＡＲを受信したＨＳＳ７００は、その応答として、Ｐ−ＣＳＣＦ３００へＤｉａ−Ｃｘ−ＵＡＡを送信することで、位置登録応答を行う（ステップＳ４）。
【００３９】
すると、Ｐ−ＣＳＣＦ３００は、Ｓ−ＣＳＣＦ４００へＳＩＰ−ＲＥＧＩＳＴＥＲを送信することで、ＵＥ１００の位置登録要求を行う（ステップＳ５）。ＳＩＰ−ＲＥＧＩＳＴＥＲを受信したＳ−ＣＳＣＦ４００は、ＨＳＳ７００へ、Ｄｉａ−Ｃｘ−ＳＡＲを送信することで、ＵＥ１００の位置登録要求を行う（ステップＳ６）。Ｄｉａ−Ｃｘ−ＳＡＲを受信したＨＳＳ７００は、Ｓ−ＣＳＣＦ４００へ、Ｄｉａ−Ｃｘ−ＳＡＡを送信することで、位置登録応答を行う（ステップＳ７）。
【００４０】
すると、Ｄｉａ−Ｃｘ−ＳＡＡを受信したＳ−ＣＳＣＦ４００は、ステップＳ５への応答として、Ｐ−ＣＳＣＦ３００へＳＩＰ−２００  ＯＫを送信することで、位置登録応答を行う（ステップＳ８）。ＳＩＰ−２００  ＯＫを受信したＰ−ＣＳＣＦ３００は、ステップＳ２への応答として、ＦＡＰ２００へＳＩＰ−２００  ＯＫを送信することで、位置登録応答を行う（ステップＳ９）。
【００４１】
また、Ｓ−ＣＳＣＦ４００は、ＡＳ−Ａ８００へ、ＳＩＰ−ＲＥＧＩＳＴＥＲを送信する（ステップＳ１０）。ＳＩＰ−ＲＥＧＩＳＴＥＲをしたＡＳ−Ａ８００は、ＨＳＳ７００へＤｉａｍｅｔｅｒのプロトコルで規定されているＳｈ−ＵＤＲを送信することで、ＵＥ１００の加入者データの取得を要求する（ステップＳ１１）。Ｓｈ−ＵＤＲを受信したＨＳＳ７００は、その応答であるＳｈ−ＵＤＡを用いて、ＡＳ−Ａ８００へＵＥ１００の加入者データを送信する（ステップＳ１２）。Ｓｈ−ＵＤＡを受信したＡＳ−Ａ８００は、Ｓ−ＣＳＣＦ４００へＳＩＰ−２００  ＯＫを送信することで、ステップＳ１０への応答を行う（ステップＳ１３）。
【００４２】
また、Ｓ−ＣＳＣＦ４００は、ＡＳ−Ｂ８１０へ、ＳＩＰ−ＲＥＧＩＳＴＥＲを送信する（ステップＳ１４）。ＳＩＰ−ＲＥＧＩＳＴＥＲをしたＡＳ−Ｂ８１０は、ＨＳＳ７００へＳｈ−ＵＤＲを送信することで、ＵＥ１００の加入者データの取得を要求する（ステップＳ１５）。Ｓｈ−ＵＤＲを受信したＨＳＳ７００は、その応答であるＳｈ−ＵＤＡを用いて、ＡＳ−Ｂ８１０へＵＥ１００の加入者データを送信する（ステップＳ１６）。Ｓｈ−ＵＤＡを受信したＡＳ−Ｂ８１０は、Ｓ−ＣＳＣＦ４００へＳＩＰ−２００  ＯＫを送信することで、ステップＳ１４への応答を行う（ステップＳ１７）。
【００４３】
その後、ＵＥ１００が、ＦＡＰ２００へ、音声発信を要求すると（ステップＳ１８）、ＦＡＰ２００は、Ｐ−ＣＳＣＦ３００へ、ＳＩＰ−ＩＮＶＩＴＥを送信することで、音声発信要求を行う（ステップＳ１９）。すると、Ｐ−ＣＳＣＦ３００は、ＦＡＰ２００へＳＩＰ−１００を送信することでＩＮＶＩＴＥ実行中であることを通知する（ステップＳ２０）。また、Ｐ−ＣＳＣＦ３００は、Ｓ−ＣＳＣＦ４００へ、セッション確立のためにＳＩＰ−ＩＮＶＩＴＥを送信する（ステップＳ２１）。すると、Ｓ−ＣＳＣＦ４００は、Ｐ−ＣＳＣＦ３００へＳＩＰ−１００を送信することでＩＮＶＩＴＥ実行中であることを通知する（ステップＳ２２）。また、Ｓ−ＣＳＣＦ４００は、ＡＳ−Ａ８００へＳＩＰ−ＩＮＶＩＴＥを送信する（ステップＳ２３）。すると、ＡＳ−Ａ８００は、Ｓ−ＣＳＣＦ４００へＳＩＰ−１００を送信することでＩＮＶＩＴＥ実行中であることを通知する（ステップＳ２４）。また、ＡＳ−Ａ８００は、Ｓ−ＣＳＣＦ４００へＳＩＰ−ＩＮＶＩＴＥを送信する（ステップＳ２５）。すると、Ｓ−ＣＳＣＦ４００は、ＡＳ−Ａ８００へＳＩＰ−１００を送信することでＩＮＶＩＴＥ実行中であることを通知する（ステップＳ２６）。
【００４４】
また、Ｓ−ＣＳＣＦ４００は、ＡＳ−Ｂ８１０へＳＩＰ−ＩＮＶＩＴＥを送信する（ステップＳ２７）。すると、ＡＳ−Ｂ８１０は、Ｓ−ＣＳＣＦ４００へＳＩＰ−１００を送信することでＩＮＶＩＴＥ実行中であることを通知する（ステップＳ２８）。
【００４５】
続いて、ＡＳ−Ｂ８１０は、ＳＣＰ９００へＣＡＰ（ＣＡＭＥＬ  Ａｐｐｌｉｃａｔｉｏｎ  Ｐａｒｔ）−ＩＤＰ（Ｉｎｉｔｉａｌ  ＤＰ）を送信することで、呼設定報告を行う（ステップＳ２９）。ＣＡＰ−ＩＤＰを受信したＳＣＰ９００は、ＡＳ−Ｂ８１０へＣＡＰ−ＣＵＥ（Ｃｏｎｔｉｎｕｅ）を送信することで、呼継続指示を行う（ステップＳ３０）。
【００４６】
また、ＡＳ−Ｂ８１０は、Ｓ−ＣＳＣＦ４００へＳＩＰ−ＩＮＶＩＴＥを送信する（ステップＳ３１）。すると、Ｓ−ＣＳＣＦ４００は、ＡＳ−Ｂ８１０へＳＩＰ−１００を送信することでＩＮＶＩＴＥ実行中であることを通知する（ステップＳ３２）。
【００４７】
また、Ｓ−ＣＳＣＦ４００は、ＭＧＣＦ５００へＳＩＰ−ＩＮＶＩＴＥを送信する（ステップＳ３３）。すると、ＭＧＣＦ５００は、Ｓ−ＣＳＣＦ４００へＳＩＰ−１００を送信することでＩＮＶＩＴＥ実行中であることを通知する（ステップＳ３４）。
【００４８】
また、ＭＧＣＦ５００は、Ｓ−ＣＳＣＦ４００へＳＩＰ−１８３を送信することで、セッションが進行していることを通知する（ステップＳ３５）。すると、Ｓ−ＣＳＣＦ４００は、ＡＳ−Ｂ８１０へＳＩＰ−１８３を送信することで、セッションが進行していることを通知する（ステップＳ３６）。
【００４９】
続いて、ＡＳ−Ｂ８１０は、Ｓ−ＣＳＣＦ４００へＳＩＰ−１８３を送信することで、セッションが進行していることを通知する（ステップＳ３７）。すると、Ｓ−ＣＳＣＦ４００は、ＡＳ−Ａ８００へＳＩＰ−１８３を送信することで、セッションが進行していることを通知する（ステップＳ３８）。
【００５０】
そして、ＡＳ−Ａ８００は、Ｓ−ＣＳＣＦ４００へＳＩＰ−１８３を送信し（ステップＳ３９）、ＳＩＰ−１８３を受信したＳ−ＣＳＣＦ４００は、Ｐ−ＣＳＣＦ３００へＳＩＰ−１８３を送信し（ステップＳ４０）、ＳＩＰ−１８３を受信したＰ−ＣＳＣＦ３００は、ＦＡＰ２００へＳＩＰ−１８３を送信する（ステップＳ４１）。
【００５１】
その後、ＭＧＣＦ５００が、Ｓ−ＣＳＣＦ４００へＳＩＰ−２００  ＯＫを送信することで、発信要求に対する応答を行う（ステップＳ４２）。ＳＩＰ−２００  ＯＫを受信したＳ−ＣＳＣＦ４００は、ＡＳ−Ｂ８１０へＳＩＰ−２００  ＯＫを送信する（ステップＳ４３）。
【００５２】
すると、ＡＳ−Ｂ８１０は、ＳＣＰ９００へＣＡＰ−ＥＲＢ（Ｅｖｅｎｔ  Ｒｅｐｏｒｔ  ＢＳＣＭ）を送信することで、着ユーザ応答報告を行う（ステップＳ４４）。ＣＡＰ−ＥＲＢを受信したＳＣＰ９００は、ＡＳ−Ｂ８１０へＣＡＰ−ＡＣＨ（Ａｐｐｌｙ  Ｃｈａｒｇｉｎｇ）を送信することで、ＵＥ１００が通話可能な時間の指示を行う（ステップＳ４５）。この時点が通話開始時刻となり、時間計測部８１１は通話時間の計測を開始する。また、ＡＳ−Ｂ８１０は、このＣＡＰ−ＡＣＨを受信することで、ＵＥ１００が通話可能な時間を取得する。
【００５３】
また、ＡＳ−Ｂ８１０は、Ｓ−ＣＳＣＦ４００へＳＩＰ−２００  ＯＫを送信し（ステップＳ４６）、ＳＩＰ−２００  ＯＫを受信したＳ−ＣＳＣＦ４００は、ＡＳ−Ａ８００へＳＩＰ−２００  ＯＫを送信する（ステップＳ４７）。ＳＩＰ−２００  ＯＫを受信したＡＳ−Ａ８００は、Ｓ−ＣＳＣＦ４００へＳＩＰ−２００  ＯＫを送信し（ステップＳ４８）、Ｓ−ＣＳＣＦ４００は、Ｐ−ＣＳＣＦ３００へＳＩＰ−２００  ＯＫを送信し（ステップＳ４９）、Ｐ−ＣＳＣＦ３００は、ＦＡＰ２００へＳＩＰ−２００  ＯＫを送信する（ステップＳ５０）。
【００５４】
すると、ＦＡＰ２００は、Ｐ−ＣＳＣＦ３００へＳＩＰ−ＡＣＫを送信し（ステップＳ５１）、Ｐ−ＣＳＣＦ３００は、Ｓ−ＣＳＣＦ４００へＳＩＰ−ＡＣＫを送信し（ステップＳ５２）、Ｓ−ＣＳＣＦ４００は、ＡＳ−Ａ８００へＳＩＰ−ＡＣＫを送信し（ステップＳ５３）、セッションが確立したことを了解したことを通知する。
【００５５】
また、ＦＡＰ２００は、ＵＥ１００に対して発信の応答（Ａｎｓｗｅｒ）を行う（ステップＳ５４）。
【００５６】
また、ＳＩＰ−ＡＣＫを受信したＡＳ−Ａ８００は、Ｓ−ＣＳＣＦ４００へＳＩＰ−ＡＣＫを送信する（ステップＳ５５）。すると、Ｓ−ＣＳＣＦ４００は、ＡＳ−Ｂ８１０へＳＩＰ−ＡＣＫを送信する（ステップＳ５６）。ＳＩＰ−ＡＣＫを受信したＡＳ−Ｂ８１０は、Ｓ−ＣＳＣＦ４００へＳＩＰ−ＡＣＫを送信する（ステップＳ５７）。すると、Ｓ−ＣＳＣＦ４００は、ＭＧＣＦ５００へＳＩＰ−ＡＣＫを送信する（ステップＳ５８）。
【００５７】
通話が行われ、ステップＳ４５でＡＳ−Ｂ８１０が取得した、ＵＥ１００が通話可能な時間から、時間計測部８１１が計測した時間を差し引いた時間があらかじめ設定された時間（例えば、Ｘ秒間）となった際、つまり、時間計測部８１１が計測した時間が、ＵＥ１００が通話可能な時間が満了するＸ秒前となった際、指示部８１２は、ＦＡＰ２００にて音声データに警告音を挿入（多重）させるためのメッセージ（ＳＩＰ−ＩＮＦＯ）を生成する（ステップＳ５９）。そして、指示部８１２は、生成したＳＩＰ−ＩＮＦＯをＳ−ＣＳＣＦ４００へ送信する（ステップＳ６０）。ＳＩＰ−ＩＮＦＯを受信したＳ−ＣＳＣＦ４００は、ＡＳ−Ａ８００へＳＩＰ−ＩＮＦＯを送信する（ステップＳ６１）。すると、ＡＳ−Ａ８００は、Ｓ−ＣＳＣＦ４００へＳＩＰ−ＩＮＦＯを送信し（ステップＳ６２）、Ｓ−ＣＳＣＦ４００は、Ｐ−ＣＳＣＦ３００へＳＩＰ−ＩＮＦＯを送信し（ステップＳ６３）、Ｐ−ＣＳＣＦ３００は、ＦＡＰ２００へＳＩＰ−ＩＮＦＯを送信する（ステップＳ６４）。
【００５８】
ＳＩＰ−ＩＮＦＯを受信したＦＡＰ２００は、その応答として、Ｐ−ＣＳＣＦ３００へＳＩＰ−２００  ＯＫを送信し（ステップＳ６５）、Ｐ−ＣＳＣＦ３００はＳ−ＣＳＣＦ４００へＳＩＰ−２００  ＯＫを送信し（ステップＳ６６）、Ｓ−ＣＳＣＦ４００はＡＳ−Ａ８００へＳＩＰ−２００  ＯＫを送信する（ステップＳ６７）。
【００５９】
また、ステップＳ６４にてＰ−ＣＳＣＦ３００から送信されたＳＩＰ−ＩＮＦＯを受信したＦＡＰ２００の多重部２０１は、記憶している音源ファイルに基づいた警告音を、ＵＥ１００へ送信する音声データに多重（挿入）する。そして、当該警告音を多重した音声データを送信部２０２がＵＥ１００へ送信する（ステップＳ６８）。
【００６０】
また、Ｓ−ＣＳＣＦ４００から送信されたＳＩＰ−２００  ＯＫを受信したＡＳ−Ａ８００は、Ｓ−ＣＳＣＦ４００へＳＩＰ−２００  ＯＫを送信する（ステップＳ６９）。すると、ＳＩＰ−２００  ＯＫを受信したＳ−ＣＳＣＦ４００は、ＡＳ−Ｂ８１０へＳＩＰ−２００  ＯＫを送信する（ステップＳ７０）。
【００６１】
その後も通話が続いた後、ステップＳ４５でＡＳ−Ｂ８１０が取得した、ＵＥ１００が通話可能な時間が、時間計測部８１１が計測した時間となった際、つまり、ＵＥ１００が通話可能な時間が満了すると、ＡＳ−Ｂ８１０はＳ−ＣＳＣＦ４００へＳＩＰ−ＢＹＥを送信することでセッションの切断要求を行う（ステップＳ７１，Ｓ７２）。また、ＡＳ−Ｂ８１０は、ＳＣＰ９００へＣＡＰ−ＡＣＲ（Ａｐｐｌｙ  Ｃｈａｒｇｉｎｇ  Ｒｅｐｏｒｔ）を送信することで、呼解放報告を行う（ステップＳ７３）。
【００６２】
ＡＳ−Ｂ８１０から送信されたＳＩＰ−ＢＹＥを受信したＳ−ＣＳＣＦ４００は、ＡＳ−Ａ８００へＳＩＰ−ＢＹＥを送信することでセッションの切断要求を行う（ステップＳ７４）。すると、ＡＳ−Ａ８００は、Ｓ−ＣＳＣＦ４００へＳＩＰ−ＢＹＥを送信し（ステップＳ７５）、Ｓ−ＣＳＣＦ４００は、Ｐ−ＣＳＣＦ３００へＳＩＰ−ＢＹＥを送信し（ステップＳ７６）、Ｐ−ＣＳＣＦ３００は、ＦＡＰ２００へＳＩＰ−ＢＹＥを送信する（ステップＳ７７）。
【００６３】
Ｐ−ＣＳＣＦ３００から送信されたＳＩＰ−ＢＹＥを受信したＦＡＰ２００は、その応答としてＰ−ＣＳＣＦ３００へＳＩＰ−２００  ＯＫを送信し（ステップＳ７８）、Ｐ−ＣＳＣＦ３００は、Ｓ−ＣＳＣＦ４００へＳＩＰ−２００  ＯＫを送信し（ステップＳ７９）、Ｓ−ＣＳＣＦ４００は、ＡＳ−Ａ８００へＳＩＰ−２００  ＯＫを送信する（ステップＳ８０）。
【００６４】
また、ステップＳ７７にてＰ−ＣＳＣＦ３００から送信されたＳＩＰ−ＢＹＥを受信したＦＡＰ２００は、ＵＥ１００の呼を解放して接続を切断する（ステップＳ８１）。
【００６５】
また、ステップＳ８０にてＳ−ＣＳＣＦ４００から送信されたＳＩＰ−２００  ＯＫを受信したＡＳ−Ａ８００は、Ｓ−ＣＳＣＦ４００へＳＩＰ−２００  ＯＫを送信する（ステップＳ８２）。すると、Ｓ−ＣＳＣＦ４００は、ＡＳ−Ｂ８１０へＳＩＰ−２００  ＯＫを送信する（ステップＳ８３）。
【００６６】
また、Ｓ−ＣＳＣＦ４００は、ＭＧＣＦ５００へＳＩＰ−ＢＹＥを送信する（ステップＳ８４）。すると、ＭＧＣＦ５００は、その応答として、Ｓ−ＣＳＣＦ４００へＳＩＰ−２００  ＯＫを送信する（ステップＳ８５）。ＳＩＰ−２００  ＯＫを受信したＳ−ＣＳＣＦ４００は、ＡＳ−Ｂ８１０へＳＩＰ−２００  ＯＫを送信する（ステップＳ８６）。
【００６７】
なお、ＣＡＰ−ＩＤＰ、ＣＡＰ−ＣＵＥ、ＣＡＰ−ＥＲＢ、ＣＡＰ−ＡＣＨおよびＣＡＰ−ＡＣＲは、ＣＡＭＥＬサーバとＩＭ−ＳＳＦとの間のインタフェースであるＣＡＰの信号である。以下の実施の形態においても同様である。
【００６８】
図５Ａは、図１に示したＵＥ１００が通話中である場合の、ＳＩＰメッセージおよび音声データの流れの一例を示す図である。
【００６９】
図５Ａに示すように、警告音の挿入指示であるＳＩＰ−ＩＮＦＯを受ける前、ＳＩＰメッセージであるＳＩＰ−ＩＮＶＩＴＥは、Ｐ−ＣＳＣＦ３００からＦＡＰ２００へ送信されてくる。一方、Ｕ−Ｐｌａｎｅの音声データは、ＭＧＷ６００を介してＦＡＰ２００へ送信されてくる。
【００７０】
図５Ｂは、警告音の挿入指示があったときのメッセージの流れの一例を示す図である。
【００７１】
図５Ｂに示すように、警告音の挿入指示があると、ＩＭ−ＳＳＦであるＡＳ−Ｂ８１０からＰ−ＣＳＣＦ３００経由でＳＩＰ−ＩＮＦＯを用いて警告音の挿入の指示が行われる。
【００７２】
図５Ｃは、警告音の挿入の指示があった後、音声データに警告音が挿入（多重）される様子の一例を示す図である。
【００７３】
図５Ｃに示すように、ＦＡＰ２００にてＵＥ１００へ送信される音声データに警告音が挿入（多重）される。具体的には、ＦＡＰ２００が記憶している警告音と、プリペイドユーザが所持するＵＥ１００宛ての通話音声とが多重され、ＵＥ１００へ送信される。ここで、ＦＡＰ２００は、プリペイドユーザの電話番号を認識しているため、ＵＥ１００宛ての通話音声を識別することができる。
（第２の実施の形態）
第１の実施の形態におけるＡＳ機能（アプリケーション提供手段）を、ＳＩＰサーバであるＳ−ＣＳＣＦが具備するものであっても良い。
【００７４】
図６は、本発明の通信システムの第２の実施の形態を示す図である。
【００７５】
本形態における通信システムには図６に示すように、ＵＥ１００と、ＦＡＰ２００と、Ｐ−ＣＳＣＦ３００と、Ｓ−ＣＳＣＦ４１０と、ＭＧＣＦ５００と、ＭＧＷ６００と、ＨＳＳ７００と、ＣＡＰ−ＧＷ８２０と、ＳＣＰ９００とが設けられている。なお、図６に示した通信システムは、ＩＭＳ網に含まれている。
【００７６】
ＵＥ１００、ＦＡＰ２００、Ｐ−ＣＳＣＦ３００、ＭＧＣＦ５００、ＭＧＷ６００、ＨＳＳ７００およびＳＣＰ９００は、第１の実施の形態におけるものと同じものである。
【００７７】
Ｓ−ＣＳＣＦ４１０は、図１に示したＳ−ＣＳＣＦ４００に、ＡＳ−Ａ８００およびＡＳ−Ｂ８１０の機能が内蔵されたものである。ただし、Ｓ−ＣＳＣＦ４１０は、ＣＡＰのインタフェースは持たない。
【００７８】
ＣＡＰ−ＧＷ８２０は、Ｓ−ＣＳＣＦ４１０との間のインタフェースであるＳＩＰのプロトコルと、ＳＣＰ９００との間のインタフェースであるＣＡＰとを変換するゲートウェイサーバである。
【００７９】
図７は、図６に示したＳ−ＣＳＣＦ４１０の内部構成の一例を示す図である。
【００８０】
図６に示したＳ−ＣＳＣＦ４１０には図７に示すように、ＡＳ４１１が設けられている。さらに、ＡＳ４１１には、時間計測部４１２と、指示部４１３とが設けられている。なお、図７には、図６に示したＳ−ＣＳＣＦ４１０の構成要素のうち、本実施の形態に関わる主要な構成要素の一例を示す。
【００８１】
時間計測部４１２は、ＵＥ１００が音声発信した通話が開始された時刻から通話時間を計測する。また、時間計測部４１２は、ＵＥ１００の通話が開始された際、ＣＡＰ−ＧＷ８２０を介してＳＣＰ９００から、ＵＥ１００が通話可能な時間を取得する。
【００８２】
指示部４１３は、時間計測部４１２がＳＣＰ９００から取得した、ＵＥ１００が通話可能な時間から、時間計測部４１２が計測した通話時間を差し引いた時間があらかじめ設定された時間となった際、Ｐ−ＣＳＣＦ３００を介して、ＦＡＰ２００に対して多重指示を行う。つまり、指示部４１３は、ＵＥ１００が通話可能な時間が満了する時刻から所定の時間前に多重指示を行う。このあらかじめ設定された時間は、外部から設定可能な時間であり、通話可能な時間（残高）が間もなく切れることを通知するために設定された時間である。
【００８３】
以下に、図６に示した通信システムにおける通知方法について説明する。なお、情報の送受信で用いられる各信号は、それぞれのプロトコルに準じたものである。
【００８４】
図８Ａ〜８Ｃは、図６に示した通信システムにおける通知方法を説明するためのシーケンス図である。
【００８５】
まず、ＵＥ１００が、ＦＡＰ２００へ、位置登録要求を行う（ステップＳ１０１）と、ＦＡＰ２００は、Ｐ−ＣＳＣＦ３００へＳＩＰ−ＲＥＧＩＳＴＥＲを送信することで、ＵＥ１００の位置登録要求を行う（ステップＳ１０２）。すると、Ｐ−ＣＳＣＦ３００は、ＨＳＳ７００へＤｉａ−Ｃｘ−ＵＡＲを送信することで、ＵＥ１００の位置登録要求を行う（ステップＳ１０３）。Ｄｉａ−Ｃｘ−ＵＡＲを受信したＨＳＳ７００は、その応答として、Ｐ−ＣＳＣＦ３００へＤｉａ−Ｃｘ−ＵＡＡを送信することで、位置登録応答を行う（ステップＳ１０４）。
【００８６】
すると、Ｐ−ＣＳＣＦ３００は、Ｓ−ＣＳＣＦ４１０へＳＩＰ−ＲＥＧＩＳＴＥＲを送信することで、ＵＥ１００の位置登録要求を行う（ステップＳ１０５）。ＳＩＰ−ＲＥＧＩＳＴＥＲを受信したＳ−ＣＳＣＦ４１０は、ＨＳＳ７００へ、Ｄｉａ−Ｃｘ−ＳＡＲを送信することで、ＵＥ１００の位置登録要求を行う（ステップＳ１０６）。Ｄｉａ−Ｃｘ−ＳＡＲを受信したＨＳＳ７００は、Ｓ−ＣＳＣＦ４１０へ、Ｄｉａ−Ｃｘ−ＳＡＡを送信することで、位置登録応答を行う（ステップＳ１０７）。
【００８７】
すると、Ｄｉａ−Ｃｘ−ＳＡＡを受信したＳ−ＣＳＣＦ４１０は、ステップＳ１０５への応答として、Ｐ−ＣＳＣＦ３００へＳＩＰ−２００  ＯＫを送信することで、位置登録応答を行う（ステップＳ１０８）。ＳＩＰ−２００  ＯＫを受信したＰ−ＣＳＣＦ３００は、ステップＳ１０２への応答として、ＦＡＰ２００へＳＩＰ−２００  ＯＫを送信することで、位置登録応答を行う（ステップＳ１０９）。
【００８８】
その後、ＵＥ１００が、ＦＡＰ２００へ、音声発信を要求すると（ステップＳ１１０）、ＦＡＰ２００は、Ｐ−ＣＳＣＦ３００へ、ＳＩＰ−ＩＮＶＩＴＥを送信することで、音声発信要求を行う（ステップＳ１１１）。すると、Ｐ−ＣＳＣＦ３００は、ＦＡＰ２００へＳＩＰ−１００を送信することでＩＮＶＩＴＥ実行中であることを通知する（ステップＳ１１２）。また、Ｐ−ＣＳＣＦ３００は、Ｓ−ＣＳＣＦ４１０へ、セッション確立のためにＳＩＰ−ＩＮＶＩＴＥを送信する（ステップＳ１１３）。すると、Ｓ−ＣＳＣＦ４１０は、Ｐ−ＣＳＣＦ３００へＳＩＰ−１００を送信することでＩＮＶＩＴＥ実行中であることを通知する（ステップＳ１１４）。
【００８９】
続いて、Ｓ−ＣＳＣＦ４１０は、ＣＡＰ−ＧＷ８２０を介してＳＣＰ９００へＣＡＰ−ＩＤＰを送信することで、呼設定報告を行う（ステップＳ１１５）。ＣＡＰ−ＩＤＰを受信したＳＣＰ９００は、ＣＡＰ−ＧＷ８２０を介してＳ−ＣＳＣＦ４１０へＣＡＰ−ＣＵＥを送信することで、呼継続指示を行う（ステップＳ１１６）。
【００９０】
続いて、Ｓ−ＣＳＣＦ４１０は、ＭＧＣＦ５００へＳＩＰ−ＩＮＶＩＴＥを送信する（ステップＳ１１７）。すると、ＭＧＣＦ５００は、Ｓ−ＣＳＣＦ４１０へＳＩＰ−１００を送信することでＩＮＶＩＴＥ実行中であることを通知する（ステップＳ１１８）。
【００９１】
また、ＭＧＣＦ５００は、Ｓ−ＣＳＣＦ４１０へＳＩＰ−１８３を送信することで、セッションが進行していることを通知する（ステップＳ１１９）。ＳＩＰ−１８３を受信したＳ−ＣＳＣＦ４１０は、Ｐ−ＣＳＣＦ３００へＳＩＰ−１８３を送信し（ステップＳ１２０）、ＳＩＰ−１８３を受信したＰ−ＣＳＣＦ３００は、ＦＡＰ２００へＳＩＰ−１８３を送信する（ステップＳ１２１）。
【００９２】
その後、ＭＧＣＦ５００が、Ｓ−ＣＳＣＦ４１０へＳＩＰ−２００  ＯＫを送信することで、発信要求に対する応答を行う（ステップＳ１２２）。
【００９３】
すると、Ｓ−ＣＳＣＦ４１０は、ＣＡＰ−ＧＷ８２０を介してＳＣＰ９００へＣＡＰ−ＥＲＢを送信することで、着ユーザ応答報告を行う（ステップＳ１２３）。ＣＡＰ−ＥＲＢを受信したＳＣＰ９００は、ＣＡＰ−ＧＷ８２０を介してＳ−ＣＳＣＦ４１０へＣＡＰ−ＡＣＨを送信することで、ＵＥ１００が通話可能な時間の指示を行う（ステップＳ１２４）。この時点が通話開始時刻となり、時間計測部４１２は通話時間の計測を開始する。また、Ｓ−ＣＳＣＦ４１０は、このＣＡＰ−ＡＣＨを受信することで、ＵＥ１００が通話可能な時間を取得する。
【００９４】
すると、Ｓ−ＣＳＣＦ４１０は、Ｐ−ＣＳＣＦ３００へＳＩＰ−２００  ＯＫを送信し（ステップＳ１２５）、Ｐ−ＣＳＣＦ３００は、ＦＡＰ２００へＳＩＰ−２００  ＯＫを送信する（ステップＳ１２６）。
【００９５】
すると、ＦＡＰ２００は、Ｐ−ＣＳＣＦ３００へＳＩＰ−ＡＣＫを送信し（ステップＳ１２７）、Ｐ−ＣＳＣＦ３００は、Ｓ−ＣＳＣＦ４１０へＳＩＰ−ＡＣＫを送信し（ステップＳ１２８）、セッションが確立したことを了解したことを通知する。
【００９６】
また、ＦＡＰ２００は、ＵＥ１００に対して発信の応答（Ａｎｓｗｅｒ）を行う（ステップＳ１２９）。
【００９７】
また、ＳＩＰ−ＡＣＫを受信したＳ−ＣＳＣＦ４１０は、ＭＧＣＦ５００へＳＩＰ−ＡＣＫを送信する（ステップＳ１３０）。
【００９８】
通話が行われ、ステップＳ１２４でＳ−ＣＳＣＦ４１０が取得した、ＵＥ１００が通話可能な時間から、時間計測部４１２が計測した時間を差し引いた時間があらかじめ設定された時間（例えば、Ｘ秒間）となった際、つまり、時間計測部４１２が計測した時間が、ＵＥ１００が通話可能な時間が満了するＸ秒前となった際、指示部４１３は、ＦＡＰ２００にて音声データに警告音を挿入（多重）させるためのメッセージ（ＳＩＰ−ＩＮＦＯ）を生成する（ステップＳ１３１）。そして、指示部４１３は、生成したＳＩＰ−ＩＮＦＯをＰ−ＣＳＣＦ３００へ送信し（ステップＳ１３２）、Ｐ−ＣＳＣＦ３００は、ＦＡＰ２００へＳＩＰ−ＩＮＦＯを送信する（ステップＳ１３３）。
【００９９】
ＳＩＰ−ＩＮＦＯを受信したＦＡＰ２００は、その応答として、Ｐ−ＣＳＣＦ３００へＳＩＰ−２００  ＯＫを送信し（ステップＳ１３４）、Ｐ−ＣＳＣＦ３００はＳ−ＣＳＣＦ４１０へＳＩＰ−２００  ＯＫを送信する（ステップＳ１３５）。
【０１００】
また、ステップＳ１３３にてＰ−ＣＳＣＦ３００から送信されたＳＩＰ−ＩＮＦＯを受信したＦＡＰ２００の多重部２０１は、記憶している音源ファイルに基づいた警告音を、ＵＥ１００へ送信する音声データに多重（挿入）する。そして、当該警告音を多重した音声データを送信部２０２がＵＥ１００へ送信する（ステップＳ１３６）。
【０１０１】
その後も通話が続いた後、ステップＳ１２４でＳ−ＣＳＣＦ４１０が取得した、ＵＥ１００が通話可能な時間が、時間計測部４１２が計測した時間となった際、つまり、ＵＥ１００が通話可能な時間が満了すると、Ｓ−ＣＳＣＦ４１０は、ＣＡＰ−ＧＷ８２０を介してＳＣＰ９００へＣＡＰ−ＡＣＲを送信することで、呼解放報告を行う（ステップＳ１３７）。
【０１０２】
また、Ｓ−ＣＳＣＦ４１０は、Ｐ−ＣＳＣＦ３００へＳＩＰ−ＢＹＥを送信することでセッションの切断要求を行う（ステップＳ１３８）。すると、Ｐ−ＣＳＣＦ３００は、ＦＡＰ２００へＳＩＰ−ＢＹＥを送信する（ステップＳ１３９）。
【０１０３】
Ｐ−ＣＳＣＦ３００から送信されたＳＩＰ−ＢＹＥを受信したＦＡＰ２００は、その応答としてＰ−ＣＳＣＦ３００へＳＩＰ−２００  ＯＫを送信し（ステップＳ１４０）、Ｐ−ＣＳＣＦ３００は、Ｓ−ＣＳＣＦ４１０へＳＩＰ−２００  ＯＫを送信する（ステップＳ１４１）。
【０１０４】
また、ステップＳ１３９にてＰ−ＣＳＣＦ３００から送信されたＳＩＰ−ＢＹＥを受信したＦＡＰ２００は、ＵＥ１００の呼を解放して接続を切断する（ステップＳ１４２）。
【０１０５】
また、ステップＳ１４１にてＰ−ＣＳＣＦ３００から送信されたＳＩＰ−２００  ＯＫを受信したＳ−ＣＳＣＦ４１０は、ＭＧＣＦ５００へＳＩＰ−ＢＹＥを送信する（ステップＳ１４３）。すると、ＭＧＣＦ５００は、その応答として、Ｓ−ＣＳＣＦ４１０へＳＩＰ−２００  ＯＫを送信する（ステップＳ１４４）。
（第３の実施の形態）
音声データと警告音とを多重する処理をＦＡＰが行わずに、他に設けた外部装置（外部サーバ）が行うものであっても良い。
【０１０６】
図９は、本発明の通信システムの第３の実施の形態を示す図である。
【０１０７】
本形態における通信システムには図９に示すように、ＵＥ１００と、ＦＡＰ２１０と、多重処理サーバ２２０と、Ｐ−ＣＳＣＦ３００と、Ｓ−ＣＳＣＦ４１０と、ＭＧＣＦ５００と、ＭＧＷ６００と、ＨＳＳ７００と、ＣＡＰ−ＧＷ８２０と、ＳＣＰ９００とが設けられている。なお、図９に示した通信システムは、ＩＭＳ網に含まれている。
【０１０８】
ＵＥ１００、Ｐ−ＣＳＣＦ３００、Ｓ−ＣＳＣＦ４１０と、ＭＧＣＦ５００、ＭＧＷ６００、ＨＳＳ７００、ＣＡＰ−ＧＷ８２０およびＳＣＰ９００は、第２の実施の形態におけるものと同じものである。
【０１０９】
ＦＡＰ２１０は、図３に示したＦＡＰ２００から多重部２０１を除いた構成を有する。
【０１１０】
多重処理サーバ２２０は、ＭＧＷ６００とＦＡＰ２１０との間のＵ−Ｐｌａｎｅ経路上に設けられた外部サーバ（通信装置）であり、音源ファイルをあらかじめ記憶している。また、多重処理サーバ２２０は、多重指示を受けると、記憶している音源ファイルに基づいた音を、ＭＧＷ６００から送信されてきたＵＥ１００宛てに送信する音声データ（Ｕ−Ｐｌａｎｅデータ）に多重して、警告音を多重した音声データをＦＡＰ２１０へ送信する。
【０１１１】
図１０は、図９に示した多重処理サーバ２２０の内部構成の一例を示す図である。
【０１１２】
図９に示した多重処理サーバ２２０には図１０に示すように、多重部２２１と、送信部２２２とが設けられている。なお、図１０には、図９に示した多重処理サーバ２２０の構成要素のうち、本実施の形態に関わる主要な構成要素の一例を示す。
【０１１３】
多重部２２１は、Ｓ−ＣＳＣＦ４１０から多重指示を受けると、あらかじめ記憶している音源ファイルに基づいた音を、ＭＧＷ６００から送信されてきたＵＥ１００宛てに送信する音声データに多重する。
【０１１４】
送信部２２２は、多重部２２１が音を多重した音声データをＦＡＰ２１０へ送信する。
【０１１５】
以下に、図９に示した通信システムにおける通知方法について説明する。なお、情報の送受信で用いられる各信号は、それぞれのプロトコルに準じたものである。
【０１１６】
図１１Ａ〜１１Ｃは、図９に示した通信システムにおける通知方法を説明するためのシーケンス図である。
【０１１７】
まず、ＵＥ１００が、ＦＡＰ２１０へ、位置登録要求を行う（ステップＳ２０１）と、ＦＡＰ２１０は、Ｐ−ＣＳＣＦ３００へＳＩＰ−ＲＥＧＩＳＴＥＲを送信することで、ＵＥ１００の位置登録要求を行う（ステップＳ２０２）。すると、Ｐ−ＣＳＣＦ３００は、ＨＳＳ７００へＤｉａ−Ｃｘ−ＵＡＲを送信することで、ＵＥ１００の位置登録要求を行う（ステップＳ２０３）。Ｄｉａ−Ｃｘ−ＵＡＲを受信したＨＳＳ７００は、その応答として、Ｐ−ＣＳＣＦ３００へＤｉａ−Ｃｘ−ＵＡＡを送信することで、位置登録応答を行う（ステップＳ２０４）。
【０１１８】
すると、Ｐ−ＣＳＣＦ３００は、Ｓ−ＣＳＣＦ４１０へＳＩＰ−ＲＥＧＩＳＴＥＲを送信することで、ＵＥ１００の位置登録要求を行う（ステップＳ２０５）。ＳＩＰ−ＲＥＧＩＳＴＥＲを受信したＳ−ＣＳＣＦ４１０は、ＨＳＳ７００へ、Ｄｉａ−Ｃｘ−ＳＡＲを送信することで、ＵＥ１００の位置登録要求を行う（ステップＳ２０６）。Ｄｉａ−Ｃｘ−ＳＡＲを受信したＨＳＳ７００は、Ｓ−ＣＳＣＦ４１０へ、Ｄｉａ−Ｃｘ−ＳＡＡを送信することで、位置登録応答を行う（ステップＳ２０７）。
【０１１９】
すると、Ｄｉａ−Ｃｘ−ＳＡＡを受信したＳ−ＣＳＣＦ４１０は、ステップＳ２０５への応答として、Ｐ−ＣＳＣＦ３００へＳＩＰ−２００  ＯＫを送信することで、位置登録応答を行う（ステップＳ２０８）。ＳＩＰ−２００  ＯＫを受信したＰ−ＣＳＣＦ３００は、ステップＳ２０２への応答として、ＦＡＰ２１０へＳＩＰ−２００  ＯＫを送信することで、位置登録応答を行う（ステップＳ２０９）。
【０１２０】
その後、ＵＥ１００が、ＦＡＰ２１０へ、音声発信を要求すると（ステップＳ２１０）、ＦＡＰ２１０は、Ｐ−ＣＳＣＦ３００へ、ＳＩＰ−ＩＮＶＩＴＥを送信することで、音声発信要求を行う（ステップＳ２１１）。すると、Ｐ−ＣＳＣＦ３００は、ＦＡＰ２１０へＳＩＰ−１００を送信することでＩＮＶＩＴＥ実行中であることを通知する（ステップＳ２１２）。また、Ｐ−ＣＳＣＦ３００は、Ｓ−ＣＳＣＦ４１０へ、セッション確立のためにＳＩＰ−ＩＮＶＩＴＥを送信する（ステップＳ２１３）。すると、Ｓ−ＣＳＣＦ４１０は、Ｐ−ＣＳＣＦ３００へＳＩＰ−１００を送信することでＩＮＶＩＴＥ実行中であることを通知する（ステップＳ２１４）。また、Ｓ−ＣＳＣＦ４１０は、多重処理サーバ２２０へＳＩＰ−ＩＮＶＩＴＥを送信する（ステップＳ２１５）。すると、多重処理サーバ２２０は、Ｓ−ＣＳＣＦ４１０へＳＩＰ−１００を送信することでＩＮＶＩＴＥ実行中であることを通知する（ステップＳ２１６）。また、多重処理サーバ２２０は、Ｓ−ＣＳＣＦ４１０へＳＩＰ−ＩＮＶＩＴＥを送信する（ステップＳ２１７）。すると、Ｓ−ＣＳＣＦ４１０は、多重処理サーバ２２０へＳＩＰ−１００を送信することでＩＮＶＩＴＥ実行中であることを通知する（ステップＳ２１８）。
【０１２１】
続いて、Ｓ−ＣＳＣＦ４１０は、ＣＡＰ−ＧＷ８２０を介してＳＣＰ９００へＣＡＰ−ＩＤＰを送信することで、呼設定報告を行う（ステップＳ２１９）。ＣＡＰ−ＩＤＰを受信したＳＣＰ９００は、ＣＡＰ−ＧＷ８２０を介してＳ−ＣＳＣＦ４１０へＣＡＰ−ＣＵＥを送信することで、呼継続指示を行う（ステップＳ２２０）。
【０１２２】
また、Ｓ−ＣＳＣＦ４１０は、ＭＧＣＦ５００へＳＩＰ−ＩＮＶＩＴＥを送信する（ステップＳ２２１）。すると、ＭＧＣＦ５００は、Ｓ−ＣＳＣＦ４１０へＳＩＰ−１００を送信することでＩＮＶＩＴＥ実行中であることを通知する（ステップＳ２２２）。
【０１２３】
また、ＭＧＣＦ５００は、Ｓ−ＣＳＣＦ４１０へＳＩＰ−１８３を送信することで、セッションが進行していることを通知する（ステップＳ２２３）。すると、Ｓ−ＣＳＣＦ４１０は、多重処理サーバ２２０へＳＩＰ−１８３を送信することで、セッションが進行していることを通知する（ステップＳ２２４）。
【０１２４】
続いて、多重処理サーバ２２０は、Ｓ−ＣＳＣＦ４１０へＳＩＰ−１８３を送信することで、セッションが進行していることを通知する（ステップＳ２２５）。ＳＩＰ−１８３を受信したＳ−ＣＳＣＦ４１０は、Ｐ−ＣＳＣＦ３００へＳＩＰ−１８３を送信し（ステップＳ２２６）、ＳＩＰ−１８３を受信したＰ−ＣＳＣＦ３００は、ＦＡＰ２１０へＳＩＰ−１８３を送信する（ステップＳ２２７）。
【０１２５】
その後、ＭＧＣＦ５００が、Ｓ−ＣＳＣＦ４１０へＳＩＰ−２００  ＯＫを送信することで、発信要求に対する応答を行う（ステップＳ２２８）。
【０１２６】
すると、Ｓ−ＣＳＣＦ４１０は、ＣＡＰ−ＧＷ８２０を介してＳＣＰ９００へＣＡＰ−ＥＲＢを送信することで、着ユーザ応答報告を行う（ステップＳ２２９）。ＣＡＰ−ＥＲＢを受信したＳＣＰ９００は、ＣＡＰ−ＧＷ８２０を介してＳ−ＣＳＣＦ４１０へＣＡＰ−ＡＣＨを送信することで、ＵＥ１００が通話可能な時間の指示を行う（ステップＳ２３０）。この時点が通話開始時刻となり、時間計測部４１２は通話時間の計測を開始する。また、Ｓ−ＣＳＣＦ４１０は、このＣＡＰ−ＡＣＨを受信することで、ＵＥ１００が通話可能な時間を取得する。
【０１２７】
また、Ｓ−ＣＳＣＦ４１０は、多重処理サーバ２２０へＳＩＰ−２００  ＯＫを送信し（ステップＳ３１）、ＳＩＰ−２００  ＯＫを受信した多重処理サーバ２２０は、Ｓ−ＣＳＣＦ４１０へＳＩＰ−２００  ＯＫを送信する（ステップＳ２３２）。ＳＩＰ−２００  ＯＫを受信したＳ−ＣＳＣＦ４１０は、Ｐ−ＣＳＣＦ３００へＳＩＰ−２００  ＯＫを送信し（ステップＳ２３３）、Ｐ−ＣＳＣＦ３００は、ＦＡＰ２１０へＳＩＰ−２００  ＯＫを送信する（ステップＳ２３４）。
【０１２８】
すると、ＦＡＰ２１０は、Ｐ−ＣＳＣＦ３００へＳＩＰ−ＡＣＫを送信し（ステップＳ２３５）、Ｐ−ＣＳＣＦ３００は、Ｓ−ＣＳＣＦ４１０へＳＩＰ−ＡＣＫを送信し（ステップＳ２３６）、セッションが確立したことを了解したことを通知する。
【０１２９】
また、ＦＡＰ２１０は、ＵＥ１００に対して発信の応答（Ａｎｓｗｅｒ）を行う（ステップＳ２３７）。
【０１３０】
また、ＳＩＰ−ＡＣＫを受信したＳ−ＣＳＣＦ４１０は、多重処理サーバ２２０へＳＩＰ−ＡＣＫを送信する（ステップＳ２３８）。すると、多重処理サーバ２２０は、Ｓ−ＣＳＣＦ４１０へＳＩＰ−ＡＣＫを送信する（ステップＳ２３９）。ＳＩＰ−ＡＣＫを受信したＳ−ＣＳＣＦ４１０は、ＭＧＣＦ５００へＳＩＰ−ＡＣＫを送信する（ステップＳ２４０）。
【０１３１】
通話が行われ、ステップＳ２３０でＳ−ＣＳＣＦ４１０が取得した、ＵＥ１００が通話可能な時間から、時間計測部４１２が計測した時間を差し引いた時間があらかじめ設定された時間（例えば、Ｘ秒間）となった際、つまり、時間計測部４１２が計測した時間が、ＵＥ１００が通話可能な時間が満了するＸ秒前となった際、指示部４１３は、多重処理サーバ２２０にて音声データに警告音を挿入（多重）させるためのメッセージ（ＳＩＰ−ＩＮＦＯ）を生成する（ステップＳ２４１）。そして、指示部４１３は、生成したＳＩＰ−ＩＮＦＯを多重処理サーバ２２０へ送信する（ステップＳ２４２）。ＳＩＰ−ＩＮＦＯを受信した多重処理サーバ２２０は、その応答として、Ｓ−ＣＳＣＦ４１０へＳＩＰ−２００  ＯＫを送信する（ステップＳ２４３）。
【０１３２】
また、ステップＳ２４２にてＳ−ＣＳＣＦ４１０から送信されたＳＩＰ−ＩＮＦＯを受信した多重処理サーバ２２０の多重部２２１は、記憶している音源ファイルに基づいた警告音を、ＵＥ１００へ送信する音声データに多重（挿入）する。そして、当該警告音を多重した音声データを送信部２２２がＦＡＰ２１０を経由してＵＥ１００へ送信する（ステップＳ２４４）。
【０１３３】
その後も通話が続いた後、ステップＳ２３０でＳ−ＣＳＣＦ４１０が取得した、ＵＥ１００が通話可能な時間が、時間計測部４１２が計測した時間となった際、つまり、ＵＥ１００が通話可能な時間が満了すると、Ｓ−ＣＳＣＦ４１０は、ＣＡＰ−ＧＷ８２０を介してＳＣＰ９００へＣＡＰ−ＡＣＲを送信することで、呼解放報告を行う（ステップＳ２４５）。
【０１３４】
また、Ｓ−ＣＳＣＦ４１０は、Ｐ−ＣＳＣＦ３００へＳＩＰ−ＢＹＥを送信し（ステップＳ２４６）、Ｐ−ＣＳＣＦ３００は、ＦＡＰ２１０へＳＩＰ−ＢＹＥを送信することでセッションの切断要求を行う（ステップＳ２４７）。
【０１３５】
Ｐ−ＣＳＣＦ３００から送信されたＳＩＰ−ＢＹＥを受信したＦＡＰ２１０は、その応答としてＰ−ＣＳＣＦ３００へＳＩＰ−２００  ＯＫを送信し（ステップＳ２４８）、Ｐ−ＣＳＣＦ３００は、Ｓ−ＣＳＣＦ４１０へＳＩＰ−２００  ＯＫを送信する（ステップＳ２４９）。
【０１３６】
また、ステップＳ２４７にてＰ−ＣＳＣＦ３００から送信されたＳＩＰ−ＢＹＥを受信したＦＡＰ２１０は、ＵＥ１００の呼を解放して接続を切断する（ステップＳ２５０）。
【０１３７】
また、Ｓ−ＣＳＣＦ４１０は、ＭＧＣＦ５００へＳＩＰ−ＢＹＥを送信する（ステップＳ２５１）。すると、ＭＧＣＦ５００は、その応答として、Ｓ−ＣＳＣＦ４１０へＳＩＰ−２００  ＯＫを送信する（ステップＳ２５２）。
【０１３８】
なお、本形態においては、第２の実施の形態と同様に、Ｓ−ＣＳＣＦ４１０がＡＳ機能を具備しているものを例に挙げて説明したが、第１の実施の形態と同様に、ＡＳ機能がＳ−ＣＳＣＦとは別個のサーバに具備されているものであっても良い。
【０１３９】
第１〜３の実施の形態にて説明したように、ＩＭＳ網において、プリペイドユーザが通話中、通話時間満了が近付いたことを示す警告音を、当該ユーザの通信端末へ送信される音声データに多重させることで、利用可能時間の満了が近いことを認識することができる。
【０１４０】
上記の実施の形態の一部または全部は、以下の付記のようにも記載され得るが、以下には限られない。
（付記１）ＩＭＳ（ＩＰ  Ｍｕｌｔｉｍｅｄｉａ  Ｓｕｂｓｙｓｔｅｍ）網における、アプリケーション提供手段と、ＳＩＰサーバと、フェムトセル用基地局と、プリペイドユーザが所持する通信端末とを有する通信システムにおいて、
前記アプリケーション提供手段は、前記通信端末が音声発信した通話が開始された時刻から通話時間を計測し、該通信端末が通話可能な時間から該通話時間を差し引いた時間があらかじめ設定された時間となった際、前記フェムトセル用基地局へ多重指示を行い、
前記フェムトセル用基地局は、前記多重指示を受けると、あらかじめ記憶している音源ファイルに基づいた音を、前記通信端末へ送信する音声データに多重して該通信端末へ送信する通信システム。
（付記２）前記アプリケーション提供手段は、前記通信端末の通話が開始された際、サービスの提供を制御するノードから、該通信端末が通話可能な時間を取得することを特徴とする、付記１に記載の通信システム。
（付記３）前記アプリケーション提供手段は、前記ＳＩＰサーバを介して前記フェムトセル用基地局へ多重指示を行うことを特徴とする、付記１または付記２に記載の通信システム。
（付記４）前記アプリケーション提供手段は、前記ＳＩＰサーバに含まれることを特徴とする、付記１または付記２に記載の通信システム。
（付記５）ＩＭＳ網における、アプリケーション提供手段と、フェムトセル用基地局と、プリペイドユーザが所持する通信端末とを有する通信システムにおいて、
前記通信端末が音声発信した通話の音声データを処理するゲートウェイと、前記フェムトセル用基地局との間に設けられた多重処理サーバを有し、
前記アプリケーション提供手段は、前記通信端末が音声発信した通話が開始された時刻から通話時間を計測し、該通信端末が通話可能な時間から該通話時間を差し引いた時間があらかじめ設定された時間となった際、前記多重処理サーバへ多重指示を行い、
前記多重処理サーバは、前記多重指示を受けると、あらかじめ記憶している音源ファイルに基づいた音を、前記通信端末へ送信する音声データに多重して前記フェムトセル用基地局へ送信し、
前記フェムトセル用基地局は、前記多重処理サーバから送信されてきた、前記音が多重された音声データを前記通信端末へ送信する通信システム。
（付記６）前記アプリケーション提供手段は、前記通信端末の通話が開始された際、サービスの提供を制御するノードから、該通信端末が通話可能な時間を取得することを特徴とする、付記５に記載の通信システム。
（付記７）ＩＭＳ網におけるプリペイドユーザが所持する通信端末が音声発信した通話が開始された時刻から通話時間を計測する時間計測部と、
前記通信端末が通話可能な時間から、前記時間計測部が計測した通話時間を差し引いた時間があらかじめ設定された時間となった際、前記通信端末へ音声データを送信するフェムトセル用基地局へ多重指示を行う指示部とを有するアプリケーション提供サーバ。
（付記８）付記７に記載のアプリケーション提供サーバを具備するＳＩＰサーバ。
（付記９）ＩＭＳ網におけるサービスを提供するアプリケーション提供手段から多重指示を受けると、あらかじめ記憶している音源ファイルに基づいた音を、プリペイドユーザが音声発信に用いた通信端末へ送信する音声データに多重する多重部と、
前記多重部が前記音を多重した音声データを、前記通信端末へ送信する送信部とを有するフェムトセル用基地局。
（付記１０）ＩＭＳ網におけるサービスを提供するアプリケーション提供手段から多重指示を受けると、あらかじめ記憶している音源ファイルに基づいた音を、プリペイドユーザが音声発信に用いた通信端末へ送信する音声データに多重する多重部と、
前記多重部が前記音を多重した音声データを、前記通信端末へ音声データを送信するフェムトセル用基地局へ送信する送信部とを有する多重処理サーバ。
（付記１１）ＩＭＳ網における、アプリケーション提供手段と、フェムトセル用基地局と、プリペイドユーザが所持する通信端末とを有する通信システムにおける通知方法であって、
前記アプリケーション提供手段が、前記通信端末が音声発信した通話が開始された時刻から通話時間を計測する処理と、
前記アプリケーション提供手段が、前記通信端末が通話可能な時間から該通話時間を差し引いた時間があらかじめ設定された時間となった際、前記フェムトセル用基地局へ多重指示を行う処理と、
前記フェムトセル用基地局が、前記多重指示を受けると、あらかじめ記憶している音源ファイルに基づいた音を、前記通信端末へ送信する音声データに多重する処理と、
前記フェムトセル用基地局が、前記音が多重された音声データを前記通信端末へ送信する処理とを行う通知方法。
【符号の説明】
【０１４１】
１００    ＵＥ
２００，２１０    ＦＡＰ
２０１，２２１    多重部
２０２，２２２    送信部
２２０    多重処理サーバ
３００    Ｐ−ＣＳＣＦ
４００，４１０    Ｓ−ＣＳＣＦ
４１１    ＡＳ
４１２，８１１    時間計測部
４１３，８１２    指示部
５００    ＭＧＣＦ
６００    ＭＧＷ
７００    ＨＳＳ
８００    ＡＳ−Ａ
８１０    ＡＳ−Ｂ
８２０    ＣＡＰ−ＧＷ
９００    ＳＣＰ
【図１】
2014207596.tif 000003
【図２】
2014207596.tif 000004
【図３】
2014207596.tif 000005
【図４Ａ】
2014207596.tif 000006
【図４Ｂ】
2014207596.tif 000007
【図４Ｃ】
2014207596.tif 000008
【図５Ａ】
2014207596.tif 000009
【図５Ｂ】
2014207596.tif 000010
【図５Ｃ】
2014207596.tif 000011
【図６】
2014207596.tif 000012
【図７】
2014207596.tif 000013
【図８Ａ】
2014207596.tif 000014
【図８Ｂ】
2014207596.tif 000015
【図８Ｃ】
2014207596.tif 000016
【図９】
2014207596.tif 000017
【図１０】
2014207596.tif 000018
【図１１Ａ】
2014207596.tif 000019
【図１１Ｂ】
2014207596.tif 000020
【図１１Ｃ】
2014207596.tif 000021